(57)【要約】【課題】帳票等の原稿に記録された情報の取得品質を、簡便な操作でしかも確実に向上させることができる画像処理装置、画像処理方法、および画像処理プログラムを提供する。【解決手段】画像処理装置としてのＭＦＰは、特定の文字を認識できなかった文字画像、および当該文字画像に対応する複数の文字候補４０３を含む選択用チャート４００を出力する。そして、ＭＦＰ１００は、ユーザによる文字候補４０３の選択が行われた選択用チャート４００を読み取り、選択用チャート４００を読み取って得られた画像データに基づいて、特定の文字を認識できなかった文字画像に対応する文字を決定して登録する。【選択図】図７
2006251919.tif 000002
【特許請求の範囲】
【請求項１】
特定の文字を認識できなかった文字画像、および当該文字画像に対応する複数の文字候補を含む選択用チャートを出力する出力手段と、
ユーザによる文字候補の選択が行われた選択用チャートを読み取る読取手段と、
選択用チャートを読み取って得られた画像データに基づいて、特定の文字を認識できなかった文字画像に対応する文字を決定する決定手段と、
前記決定手段により決定された文字を登録する登録手段と、
を有することを特徴とする画像処理装置。
【請求項２】
前記特定の文字を認識できなかった文字画像は、文字認識の確からしさの度合いである文字認識確度が所定値よりも低く判定された文字画像であることを特徴とする請求項１に記載の画像処理装置。
【請求項３】
前記選択用チャートは、複数の文字候補のいずれかを選択するための選択指示領域をさらに含むことを特徴とする請求項１または２に記載の画像処理装置。
【請求項４】
前記選択用チャートは、特定の文字を認識できなかった理由に関するアドバイス情報をさらに含むことを特徴とする請求項１〜３のいずれか１つに記載の画像処理装置。
【請求項５】
前記選択用チャートは、特定の文字を認識できなかった文字画像を含む元の原稿と関連付けられた識別情報をさらに含むことを特徴とする請求項１〜４のいずれか１つに記載の画像処理装置。
【請求項６】
特定の文字を認識できなかった文字画像、および当該文字画像に対応する複数の文字候補を含む選択用チャートを出力する出力ステップと、
ユーザによる文字候補の選択が行われた選択用チャートを読み取る読取ステップと、
選択用チャートを読み取って得られた画像データに基づいて、特定の文字を認識できなかった文字画像に対応する文字を決定する決定ステップと、
前記決定ステップにおいて決定された文字を登録する登録ステップと、
を有することを特徴とする画像処理方法。
【請求項７】
特定の文字を認識できなかった文字画像、および当該文字画像に対応する複数の文字候補を含む選択用チャートを出力する指示を行う出力指示手順と、
ユーザによる文字候補の選択が行われた選択用チャートを読み取る指示を行う読取指示手順と、
選択用チャートを読み取って得られた画像データに基づいて、特定の文字を認識できなかった文字画像に対応する文字を決定する決定手順と、
前記決定手順において決定された文字を登録する登録手順と、
をコンピュータに実行させるための画像処理プログラム。
【請求項８】
請求項７に記載の画像処理プログラムを記録したコンピュータ読み取り可能な記録媒体。
【発明の詳細な説明】
【技術分野】
【０００１】
本発明は、画像処理装置、画像処理方法、および画像処理プログラムに関し、特に、帳票等の原稿の情報を取得するための画像処理装置、画像処理方法、および画像処理プログラムに関する。
【背景技術】
【０００２】
発注書、受注書、申込書等の帳票を読み取り、帳票に記録された文字画像に対応する画像データから文字コードを認識してたとえばデータベースに登録するために、ＯＣＲ（光学式文字読み取り装置）が利用されている。
【０００３】
従来、ＯＣＲを利用して複数の帳票の連続読み取りを行う場合、特定の文字を認識できなかった文字画像を含む帳票（以下、不読帳票という）は、一般に、リジェクトスタッカに別途収容される。そして、リジェクトスタッカに集められた不読帳票を参照して、オペレータがデータの修正を行う。しかし、この場合、オペレータによる修正作業が面倒であるばかりか、不読帳票は文字認識が正常に終了した帳票と分離されてしまうため、修正作業後に全帳票を集めて元の並び順にするために再度ソートする必要があるという問題があった。
【０００４】
この問題を解決するために、原稿を読み取って得られた画像情報と、文字認識によって得られた文字コードに基づくコード情報とを同一の用紙に印刷出力する方法が開示されている（特許文献１参照）。この方法によれば、オペレータによる照合・修正作業の容易化が図られるとともに、複数の原稿を読み取った後でも、各原稿が分離されることはない。
【特許文献１】特開平８−１２３８９８号公報
【発明の開示】
【発明が解決しようとする課題】
【０００５】
しかしながら、特許文献１に記載の方法では、画像情報とコード情報との双方を同時に参照できることによる作業性の向上が図られるものの、オペレータは、依然として、コード情報の誤り部分の発見に努め、端末を操作することによって当該誤り部分の修正を行わなければならなかった。
【０００６】
本発明は上述した問題点を解決するためになされたものであり、本発明の目的は、帳票等の原稿に記録された情報の取得品質を、簡便な操作で、しかも確実に向上させることができる画像処理装置、画像処理方法、および画像処理プログラムを提供することである。
【課題を解決するための手段】
【０００７】
本発明の上記目的は、下記の手段によって達成される。
【０００８】
（１）特定の文字を認識できなかった文字画像、および当該文字画像に対応する複数の文字候補を含む選択用チャートを出力する出力手段と、ユーザによる文字候補の選択が行われた選択用チャートを読み取る読取手段と、選択用チャートを読み取って得られた画像データに基づいて、特定の文字を認識できなかった文字画像に対応する文字を決定する決定手段と、前記決定手段により決定された文字を登録する登録手段と、を有することを特徴とする画像処理装置。
【０００９】
（２）前記特定の文字を認識できなかった文字画像は、文字認識の確からしさの度合いである文字認識確度が所定値よりも低く判定された文字画像であることを特徴とする上記（１）に記載の画像処理装置。
【００１０】
（３）前記選択用チャートは、複数の文字候補のいずれかを選択するための選択指示領域をさらに含むことを特徴とする上記（１）または（２）に記載の画像処理装置。
【００１１】
（４）前記選択用チャートは、特定の文字を認識できなかった理由に関するアドバイス情報をさらに含むことを特徴とする上記（１）〜（３）のいずれか１つに記載の画像処理装置。
【００１２】
（５）前記選択用チャートは、特定の文字を認識できなかった文字画像を含む元の原稿と関連付けられた識別情報をさらに含むことを特徴とする上記（１）〜（４）のいずれか１つに記載の画像処理装置。
【００１３】
（６）特定の文字を認識できなかった文字画像、および当該文字画像に対応する複数の文字候補を含む選択用チャートを出力する出力ステップと、ユーザによる文字候補の選択が行われた選択用チャートを読み取る読取ステップと、選択用チャートを読み取って得られた画像データに基づいて、特定の文字を認識できなかった文字画像に対応する文字を決定する決定ステップと、前記決定ステップにおいて決定された文字を登録する登録ステップと、を有することを特徴とする画像処理方法。
【００１４】
（７）特定の文字を認識できなかった文字画像、および当該文字画像に対応する複数の文字候補を含む選択用チャートを出力する指示を行う出力指示手順と、ユーザによる文字候補の選択が行われた選択用チャートを読み取る指示を行う読取指示手順と、選択用チャートを読み取って得られた画像データに基づいて、特定の文字を認識できなかった文字画像に対応する文字を決定する決定手順と、前記決定手順において決定された文字を登録する登録手順と、をコンピュータに実行させるための画像処理プログラム。
【００１５】
（８）上記（７）に記載の画像処理プログラムを記録したコンピュータ読み取り可能な記録媒体。
【発明の効果】
【００１６】
本発明によれば、特定の文字を認識できなかった文字画像に対応する複数の文字候補のうちのいずれかを選択用チャートを用いてユーザが選択でき、その選択用チャートが読み取られることによって、取得した情報の補完を行うことができる。これにより、帳票等の原稿に記録された情報の取得品質を、簡便な操作で、しかも確実に向上させることが可能となる。
【００１７】
また、たとえば複数の帳票を読み取った後でも各帳票が分離されることはないため、リジェクトスタッカに不読帳票を集める従来方法のように修正作業後に全帳票を集めて元の並び順にするために再度ソートする必要はない。
【発明を実施するための最良の形態】
【００１８】
以下、本発明の実施の形態を、図面を参照して詳細に説明する。
【００１９】
図１は、本発明の一実施形態にかかる画像処理装置としてのＭＦＰ（Ｍｕｌｔｉ−Ｆｕｎｃｔｉｏｎ  Ｐｅｒｉｐｈｅｒａｌ）の構成を示す概略正面図、図２は、図１に示されるＭＦＰの構成を示すブロック図である。
【００２０】
ＭＦＰ１００は、制御部１０１、記憶部１０２、操作パネル部１０３、ＡＤＦ（Ａｕｔｏ  Ｄｏｃｕｍｅｎｎｔ  Ｆｅｅｄｅｒ）１０４、画像読取部１０５、給紙部１０６、画像形成部１０７、用紙排出部１０８、およびインタフェース部１０９を備えており、これらは信号をやり取りするためのバス１１０を介して相互に接続されている。
【００２１】
制御部１０１はＣＰＵを含み、プログラムにしたがって上記各部の制御や各種の演算処理を行う。記憶部１０２は、予め各種プログラムや各種データを格納しておくＲＯＭ、作業領域として一時的にプログラムやデータを記憶するＲＡＭ、オペレーティングシステムを含む各種プログラムや各種データを格納するハードディスク等からなる。
【００２２】
図３に示すように、記憶部１０２は、文字認識部１２１、および不読帳票処理部１２２に対応するプログラムを格納するためのそれぞれの領域を有する。文字認識部１２１は、原稿としての帳票に記録されている文字画像から文字を認識する。具体的には、文字画像に対応する画像データから文字コードが認識される。不読帳票処理部１２２は、特定の文字を認識できなかった文字画像を含む帳票（不読帳票）に記録された情報を取得するための処理を行う。なお、文字認識部１２１、および不読帳票処理部１２２の機能は、それぞれに対応するプログラムを制御部１０１が実行することにより発揮される。
【００２３】
また、記憶部１０２は、正読情報記憶部１２３、不読情報記憶部１２４、および文字候補管理テーブル記憶部１２５のためのそれぞれの領域を有する。正読情報記憶部１２３は、特定の文字が正常に認識された文字画像に関する情報を記憶する。不読情報記憶部１２４は、特定の文字を認識できなかった文字画像に関する情報を記憶する。ここで、特定の文字を認識できなかった文字画像は、文字認識の確からしさの度合いである文字認識確度が所定値よりも低く判定された文字画像である。文字候補管理テーブル記憶部１２５は、特定の文字を認識できなかった文字画像に対応する複数の文字候補を管理するために用いられる文字候補管理テーブルを記憶する。
【００２４】
操作パネル部１０３は、タッチパネル、テンキー、スタートボタン、ストップボタン等を備えており、各種情報の表示および各種指示の入力に使用される。
【００２５】
ＡＤＦ１０４は、セットされた単数枚または複数枚の帳票等の原稿を１枚ずつ画像読取部１０５の所定の読み取り位置まで順次搬送し、そして画像読み取り後の原稿を順次排出する。
【００２６】
画像読取部１０５は、所定の読み取り位置にセットされた帳票等の原稿またはＡＤＦ１０４により所定の読み取り位置に搬送された帳票等の原稿に蛍光ランプ等の光源で光を当て、その反射光をＣＣＤ等の受光素子で光電変換して、その電気信号から画像データを生成する。
【００２７】
給紙部１０６ａ〜１０６ｃは、印刷に使用される記録材としての用紙を収容する。給紙部１０６（１０６ａ〜１０６ｃの総称）は、収容された用紙を１枚ずつ画像形成部１０７に送り出す。
【００２８】
画像形成部１０７は、帯電、露光、現像、転写および定着の各工程を含む電子写真式プロセス等の周知の作像プロセスを用いて、各種画像を用紙上に印刷する。
【００２９】
用紙排出部１０８は、画像形成部１０７から搬送される印刷された用紙を、排紙トレイ上に排出する。
【００３０】
インタフェース部１０９は、外部機器と通信するためのインタフェースであり、イーサネット（登録商標）、トークンリング、ＦＤＤＩ等の規格によるネットワークインタフェース、ＵＳＢ、ＩＥＥＥ１３９４等のシリアルインタフェース、ＳＣＳＩ、ＩＥＥＥ１２８４等のパラレルインタフェース、ＢＬＵＥＴＯＯＴＨ（登録商標）、ＩＥＥＥ８０２.１１、ＨｏｍｅＲＦ、ＩｒＤＡ等の無線通信インタフェース、電話回線に接続するための電話回線インタフェース等を利用することができる。
【００３１】
ＭＦＰ１００は、帳票等の原稿を読み取って画像データを得るスキャナ機能、たとえば外部装置や制御部１０１からの指示により印刷を行うプリント機能、および帳票等の原稿を複写するコピー機能を備えている。
【００３２】
なお、ＭＦＰ１００は、上記した構成要素以外の構成要素を含んでいてもよく、あるいは、上記した構成要素のうちの一部が含まれていなくてもよい。
【００３３】
次に、本実施形態におけるＭＦＰ１００の動作について説明する。
【００３４】
図４は、ＭＦＰ１００における帳票情報の取得処理の手順を示すフローチャートである。なお、図４のフローチャートにより示されるアルゴリズムは、ＭＦＰ１００の記憶部１０２にプログラムとして記憶されており、制御部１０１によって実行される。
【００３５】
図４を参照して、まず、たとえばＡＤＦ１０４により所定の読み取り位置に搬送された原稿としての帳票が、画像読取部１０５により読み取られる（Ｓ１０１）。ここで、帳票が読み取られることによって画像データが得られる。
【００３６】
図５は、帳票の一例を示す図である。帳票２００は、文字記入枠２０５内にユーザにより所定の情報が記入され得る情報読取領域２０１〜２０３と、帳票コード２０６が記入され得る帳票コード読取領域２０４とを有している。帳票コード２０６は、帳票を他の帳票と識別するための情報である
得られた画像データのうち、予め設定された読取領域２０１〜２０４内の画像データが抽出される（Ｓ１０２）。ここで、抽出される画像データは、帳票２００の読取領域２０１〜２０４内に記録されている文字画像に対応する画像データ（以下、文字画像データともいう）である。
【００３７】
続いて、抽出された文字画像データに対して文字認識処理が行われる（Ｓ１０３）。文字認識の方法としては、たとえば、各文字画像の特微量と予め記憶されている辞書パターンとの一致の度合いに基づいて判別する方法を用いることができる。
【００３８】
文字認識処理の結果、文字画像から特定の文字が正常に認識された場合（一の文字に特定された場合）、認識された情報が、正読情報として正読情報記憶部１２３に保存される（Ｓ１０４）。ここで、文字画像から正常に認識された文字は、文字コードとして保存される。
【００３９】
ステップＳ１０５では、文字認識処理の結果、特定の文字を認識できなかった文字画像が存在するか否かが判断される（Ｓ１０５）。特定の文字を認識できなかった文字画像が存在しない場合には（Ｓ１０５でＮＯ）、図４に示す処理は終了する。
【００４０】
一方、特定の文字を認識できなかった文字画像が存在する場合には（Ｓ１０５でＹＥＳ）、特定の文字を認識できなかった文字画像に関する情報が、不読情報として不読情報記憶部１２４に保存される（Ｓ１０６）。
【００４１】
図６は、不読情報３００のデータレコード構成の一例を示す図である。不読情報３００は、不読情報コード３０１、読取領域コード３０２、文字位置コード３０３、文字画像データ３０４、および文字候補情報３０５を含む。
【００４２】
不読情報コード３０１は、帳票コード２０６と、後述する選択用チャートコード４０１（図７参照）とから構成される。なお、選択用チャートコード４０１は、当該コードの生成時に加入される。読取領域コード３０２は、帳票２００の情報読取領域２０１〜２０３の各々に対して付与されるコードであり、具体的には情報読取領域２０１〜２０３に対して順次ナンバリングされた番号である。文字位置コード３０３は、各情報読取領域内における各文字画像（個々の文字に対応）に対して付与されるコードであり、具体的には先頭の文字画像から順次ナンバリングされた番号である。たとえば図５に示す帳票２００における「あ」の文字は、帳票コード「９９９９９９」、読取領域コード「１」、および文字位置コード「１」により特定される。
【００４３】
文字画像データ３０４は、該当する文字画像に対応する画像データである。文字候補情報３０５は、文字認識処理の結果、該当する文字画像から認識される可能性のある文字候補の文字コードと、当該文字候補についての文字認識確度とを有している。
【００４４】
ステップＳ１０６では、予め決められた選択用チャートのレイアウト設定情報が記憶部１０２のＲＡＭに読み込まれる。選択用チャートは、特定の文字を認識できなかった文字画像に対応する複数の文字候補のうちのいずれかをユーザが選択するために使用される印刷出力チャートである。
【００４５】
続いて、選択用チャートコード４０１が生成される（Ｓ１０８）。選択用チャートコード４０１は、選択用チャートを他の選択用チャートと識別するための情報であり、具体的には不読帳票ごとに作成される選択用チャートに対して順次ナンバリングされた番号である。この選択用チャートコード４０１は、帳票コード２０６を含む不読情報コード３０１に加入され、特定の文字を認識できなかった文字画像を含む元の帳票と関連付けられる。
【００４６】
続いて、文字候補管理テーブルが作成される（Ｓ１０９）。ここで、図示しない文字候補管理テーブルは、選択用チャートのレイアウト設定情報、および不読情報３００（選択用チャートコード４０１を含む）に基づいて作成される。この文字候補管理テーブルは、選択用チャートコード４０１とその出力位置情報、特定の文字を認識できなかった文字画像を含む情報読取領域内の文字画像群を特定するための情報と当該文字画像群の出力位置情報、特定の文字を認識できなかった文字画像に対応する複数の文字候補の文字コードとその出力位置情報、および各文字候補に対応するマーク欄の出力位置情報を示す。作成された文字候補管理テーブルは、文字候補管理テーブル記憶部１２５に保存される。
【００４７】
そして、文字候補管理テーブルを参照して選択用チャートが作成され、作成された選択用チャートが、画像形成部１０７により用紙上に印刷される（Ｓ１１０）。
【００４８】
なお、複数の帳票を連続して読み取る場合には、図４に示される帳票情報の取得処理が繰り返し行われる。
【００４９】
図７は、選択用チャートの一例を示す図である。選択用チャート４００は、選択用チャートコード４０１、特定の文字を認識できなかった文字画像を含む情報読取領域内の文字画像群４０２、特定の文字を認識できなかった文字画像に対応する複数の文字候補４０３、および複数の文字候補のいずれかを選択するためのマーク欄４０４を含む。文字候補４０３およびマーク欄４０４は、対応する文字画像に近接した位置に配置される。
【００５０】
図８および図９は、それぞれ選択用チャートの他の例を示す図である。図示のように、選択用チャート４００ａ、４００ｂは、特定の文字を認識できなかった理由に関するアドバイス情報４０５をさらに含むものである。具体的には、アドバイス情報４０５は、文字認識できない事態を生じさせるユーザの帳票への書き込み方法の傾向や癖に応じたユーザへのワンポイントアドバイスを示している。これにより、今後の帳票への記入作業にアドバイス情報４０５を反映させることができ、文字認識できない事態の発生を少なくすることができる。
【００５１】
たとえば、特定の文字を認識できなかった文字画像に対応する文字画像データにおける黒画素数や輪郭トレースによる連続した輪郭点数に基づいて、文字画像の濃さあるいは薄さが検出される。そして、濃さの程度が所定値よりも低い場合、たとえば図８に示すような「文字がかすれて読み取りにくい状況です。もっと濃くはっきり書いてください。」などの濃さが低すぎることの警告を伴うアドバイス情報が選択用チャート４００ａに付加される。
【００５２】
また、たとえば、文字認識処理の結果、１つの文字画像に対応する複数の文字候補の文字認識確度の差が所定値以内である場合、たとえば図９に示すような「「ま」なのか「き」なのか判別しにくいので、違いがわかるように書きましょう。」などの紛らわしい書き方への警告を伴うアドバイス情報が選択用チャート４００ｂに付加される。
【００５３】
図１０は、ＭＦＰ１００における帳票情報の補完処理の手順を示すフローチャートである。なお、図１０のフローチャートにより示されるアルゴリズムは、ＭＦＰ１００の記憶部１０２にプログラムとして記憶されており、制御部１０１によって実行される。
【００５４】
図１０を参照して、まず、ユーザによって所定のマーク欄４０４がマークされた選択用チャート４００が、画像読取部１０５により読み取られる（Ｓ２０１）。ここで、選択用チャート４００が読み取られることによって画像データが得られる。
【００５５】
たとえば図７に示す選択用チャート４００では、文字候補「き」を選択するためのマーク欄が黒く塗りつぶされることによってマークされている。図８および図９も、図７と同様に、ユーザによって所定のマーク欄がマークされた選択用チャートを例示している。
【００５６】
続いて、得られた画像データに基づいて、選択用チャートコード４０１およびマークされた位置を示すマーク位置情報が認識される（Ｓ２０２）。
【００５７】
そして、認識された選択用チャートコード４０１およびマーク位置情報は、文字候補管理テーブル記憶部１２５に既に保存されている文字候補管理テーブルと照合される。
【００５８】
すなわち、まず、認識された選択用チャートコード４０１が、文字候補管理テーブル内に存在するか否かが判断される（Ｓ２０３）。
【００５９】
認識された選択用チャートコード４０１が文字候補管理テーブル内に存在する場合（Ｓ２０３でＹＥＳ）、さらに、認識されたマーク位置情報に対応するマーク欄の出力位置情報が、文字候補管理テーブル内に存在するか否かが判断される（Ｓ２０４）。
【００６０】
そして、認識されたマーク位置情報に対応するマーク欄の出力位置情報が文字候補管理テーブル内に存在する場合（Ｓ２０４でＹＥＳ）、ユーザによりマークされることによって選択された文字候補が、特定の文字を認識できなかった文字画像に対応する文字として決定される（Ｓ２０５）。
【００６１】
決定された文字は、選択用チャートコード４０１に関連付けられた帳票コード２０６に対応して正読情報記憶部１２３に保存されている正読情報に加入されて登録される（Ｓ２０６）。ここで、決定された文字は、文字コードとして登録される。
【００６２】
一方、認識された選択用チャートコード４０１が文字候補管理テーブル内に存在しない場合（Ｓ２０３でＮＯ）、あるいは認識されたマーク位置情報に対応するマーク欄の出力位置情報が文字候補管理テーブル内に存在しない場合には（Ｓ２０４でＮＯ）、所定のエラー通知がたとえば操作パネル部１０３に表示される（Ｓ２０７）。
【００６３】
このように本実施形態のＭＦＰ１００は、特定の文字を認識できなかった文字画像、および当該文字画像に対応する複数の文字候補４０３を含む選択用チャート４００を出力する。そして、ＭＦＰ１００は、ユーザによる文字候補４０３の選択が行われた選択用チャート４００を読み取り、選択用チャート４００を読み取って得られた画像データに基づいて、特定の文字を認識できなかった文字画像に対応する文字を決定して登録する。
【００６４】
したがって、本実施形態によれば、特定の文字を認識できなかった文字画像に対応する複数の文字候補のうちのいずれかを選択用チャート４００を用いてユーザが選択でき、その選択用チャート４００が読み取られることによって、帳票から取得した情報の補完を行うことができる。これにより、帳票に記録された情報の取得品質を、簡便な操作で、しかも確実に向上させることが可能となる。
【００６５】
また、複数の帳票を読み取った後でも各帳票が分離されることはないため、リジェクトスタッカに不読帳票を集める従来方法のように修正作業後に全帳票を集めて元の並び順にするために再度ソートする必要はない。
【００６６】
本発明は、上記した実施形態のみに限定されるものではなく、特許請求の範囲内において、種々改変することができる。
【００６７】
たとえば、上記実施形態では、画像処理装置としてＭＦＰが使用されているが、本発明はこれに限定されるものではなく、たとえば複写機などの他の画像処理装置が使用されてもよい。
【００６８】
また、ＭＦＰのようにスキャナ機能を有する画像読取部とプリント機能を有する画像形成部とが一体的に構成されている必要は必ずしも無い。したがって、画像読取部と画像形成部とがネットワーク等の通信手段によって通信可能に接続されていてもよい。この場合、画像処理装置は、たとえばスキャナおよびプリンタを有するシステムとして構成され得る。
【００６９】
本実施形態にかかる画像処理装置における各種処理を行う手段および方法は、専用のハードウェア回路、またはプログラムされたコンピュータのいずれによっても実現することが可能である。上記プログラムは、たとえばフレキシブルディスクやＣＤ−ＲＯＭなどのコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送されて記憶される。また、上記プログラムは、単独のアプリケーションソフトとして提供されてもよいし、画像処理装置の一機能としてその装置のソフトウェアに組み込まれてもよい。
【図面の簡単な説明】
【００７０】
【図１】本発明の一実施形態にかかる画像処理装置としてのＭＦＰの構成を示す概略正面図である。
【図２】図１に示されるＭＦＰの構成を示すブロック図である。
【図３】文字認識部、不読帳票処理部、正読情報記憶部、不読情報記憶部、および文字候補管理テーブル記憶部を説明するための図である。
【図４】ＭＦＰにおける帳票情報の取得処理の手順を示すフローチャートである。
【図５】帳票の一例を示す図である。
【図６】不読情報のデータレコード構成の一例を示す図である。
【図７】選択用チャートの一例を示す図である。
【図８】選択用チャートの他の例を示す図である。
【図９】選択用チャートの他の例を示す図である。
【図１０】ＭＦＰにおける帳票情報の補完処理の手順を示すフローチャートである。
【符号の説明】
【００７１】
１００    ＭＦＰ（画像処理装置）、
１０１    制御部、
１０２    記憶部、
１０３    操作パネル部、
１０４    ＡＤＦ、
１０５    画像読取部、
１０６（１０６ａ〜１０６ｃ）    給紙部、
１０７    画像形成部、
１０８    用紙排出部、
１０９    インタフェース部、
１１０    バス、
２００    帳票、
２０１〜２０３    情報読取領域、
２０４    帳票コード読取領域、
２０６    帳票コード、
４００，４００ａ，４００ｂ    選択用チャート、
４０１    選択用チャートコード、
４０２    文字画像群、
４０３    文字候補、
４０４    マーク欄（選択指示領域）、
４０５    アドバイス情報。
【図１】
2006251919.tif 000003
【図２】
2006251919.tif 000004
【図３】
2006251919.tif 000005
【図４】
2006251919.tif 000006
【図５】
2006251919.tif 000007
【図６】
2006251919.tif 000008
【図７】
2006251919.tif 000009
【図８】
2006251919.tif 000010
【図９】
2006251919.tif 000011
【図１０】
2006251919.tif 000012